(57)【要約】【課題】補償分散量の切り替え頻度を低減する。【解決手段】複数のユーザ宅内装置１０から異なる距離の光ファイバ４０，５０を経由して局内装置２０に到来した各光信号の分散を補償するとき、複数のユーザ装置１０の内の最遠のユーザ装置１０から到来した光信号の分散量に基づいて、複数のユーザ装置１０から到来する各光信号に共通の補償分散量を設定する。【選択図】図１
2009141620.tif 000002
【特許請求の範囲】
【請求項１】
複数のユーザ装置から異なる距離の光ファイバを経由してセンタ装置に到来した各光信号の分散を補償するための補償分散量設定方法において、
前記複数のユーザ装置の内の最遠のユーザ装置から到来した光信号の分散量に基づいて前記複数のユーザ装置から到来する各光信号に共通の補償分散量を設定することを特徴とする補償分散量設定方法。
【請求項２】
複数のユーザ装置から異なる距離の光ファイバを経由してセンタ装置に到来した各光信号の分散を補償するための補償分散量設定方法において、
前記複数のユーザ装置から到来した各光信号の分散量の内の最大の分散量に基づいて前記複数のユーザ装置から到来する各光信号に共通の補償分散量を設定することを特徴とする補償分散量設定方法。
【請求項３】
複数のユーザ装置から異なる距離の光ファイバを経由してセンタ装置に到来した各光信号の分散を補償するための補償分散量設定方法において、
前記複数のユーザ装置を、前記複数のユーザ装置の内の前記センタ装置からの距離が近似する２以上のユーザ装置が１つのユーザ群に含まれるように複数のユーザ群に分類し、
特定のユーザ群について、該ユーザ群の内の最遠のユーザ装置乃至前記センタ装置までの平均距離に近似するユーザ装置から到来した光信号の分散量に基づいて、前記特定のユーザ群から到来する各光信号に共通の補償分散量を設定することを特徴とする補償分散量設定方法。
【請求項４】
複数のユーザ装置から異なる距離の光ファイバを経由してセンタ装置に到来した各光信号の分散を補償するための補償分散量設定プログラムにおいて、
前記各ユーザ装置から前記センタ装置までの伝送距離を測定する第１ステップと、
該第１ステップで得られた各伝送距離から判明した最遠のユーザ装置から受信した光信号の分散量を測定する第２ステップと、
該第２ステップで測定した分散量に対応して前記複数のユーザ装置から到来する各光信号に共通の補償分散量を設定する第３ステップと、
を備えることを特徴とする補償分散量設定プログラム。
【請求項５】
複数のユーザ装置から異なる距離の光ファイバを経由してセンタ装置に到来した各光信号の分散を補償するための補償分散量設定プログラムにおいて、
前記各ユーザ装置から前記センタ装置に入力する各光信号の分散量を測定する第４ステップと、
該第４ステップで測定した各分散量の内の最大の分散量を判定する第５ステップと、
該第５ステップで判定した分散量に対応して前記複数のユーザ装置から到来する各光信号に共通の補償分散量を設定する第６ステップと、
を備えることを特徴とする補償分散量設定プログラム。
【請求項６】
複数のユーザ装置から異なる距離の光ファイバを経由してセンタ装置に到来した各光信号の分散を補償するための補償分散量設定プログラムにおいて、
前記各ユーザ装置から前記センタ装置にまでの伝送距離を測定する第７ステップと、
該第７ステップで得られた各伝送距離に基づき近似する伝送距離のユーザ装置が１つのユーザ群となるように複数のユーザ群に分類する第８ステップと、
該第８ステップで得られた特定のユーザ群内に前記センタ装置への上り光信号を送信する連続したタイムスロットを割り当てる第９ステップと、
前記特定のユーザ群内の最遠のユーザ装置乃至前記センタ装置までの平均距離に近似するユーザ装置から到来した光信号の分散量を測定する第１０ステップと、
該第１０ステップで測定した分散量に対応して前記特定のユーザ装置から到来する各光信号に共通の補償分散量を設定する第１１ステップと、
前記ユーザ群を切り替えて、前記第８〜第１０ステップを繰り返す第１２ステップと、
を備えることを特徴とする補償分散量設定プログラム。
【請求項７】
複数のユーザ装置から異なる距離の光ファイバを経由して到来した各光信号の分散を補償するための分散補償回路を備えたセンタ装置において、
前記分散補償回路が、前記複数のユーザ装置の内の最遠のユーザ装置から到来した光信号の分散量に基づいて前記複数のユーザ装置から到来する各信号に共通の補償分散量を設定することを特徴とするセンタ装置。
【請求項８】
複数のユーザ装置から異なる距離の光ファイバを経由して到来した各光信号の分散を補償するための分散補償回路を備えたセンタ装置において、
前記分散補償回路が、前記複数のユーザ装置から到来した各光信号の分散量の内の最大の分散量に基づいて前記複数のユーザ装置から到来する各信号に共通の補償分散量を設定することを特徴とするセンタ装置。
【請求項９】
複数のユーザ装置から異なる距離の光ファイバを経由して到来した各光信号の分散を補償するための分散補償回路を備えたセンタ装置において、
前記複数のユーザ装置の内の前記センタ装置からの距離が近似する２以上のユーザ装置が１つのユーザ群に含まれるように分類した複数のユーザ群の内の特定のユーザ群について、
前記分散補償回路が、前記特定のユーザ群の内の最遠のユーザ装置乃至前記センタ装置までの平均距離に近似するユーザ装置から到来した光信号の分散量に基づいて、前記特定のユーザ群から到来する各光信号に共通の補償分散量を設定することを特徴とするセンタ装置。
【請求項１０】
請求項７、８又は９に記載のセンタ装置と、複数のユーザ装置と、前記センタ装置と前記複数のユーザ装置とを１対多接続する光ファイバとから構成したことを特徴とする光通信システム。
【発明の詳細な説明】
【技術分野】
【０００１】
本発明は、１対多接続の光通信システムにおいて、ユーザ装置からセンタ装置に向けた上り光信号の分散を補償するための補償分散量設定方法、補償分散量設定プログラム、分散補償回路を備えたセンタ装置、および分散補償を行う光通信システムに関するものである。
【背景技術】
【０００２】
現在、インターネットの普及にともない、アクセスネットワークにおいては、更なる高速化を経済的に実現することが求められている。そこで、時間的に複数のユーザを多重し、光ファイバを複数ユーザで共有することにより経済化を図る１対多接続のＰＯＮ（Passive Optical Network）システムが導入されつつある。このような光通信システムにおいては、光信号を入出力する光送受信器の伝送速度を上げることにより、個々のユーザ当りの伝送速度を上げることができるが、光信号の伝送速度が上昇すると、光ファイバを伝送した後の光信号が光ファイバの分散（波長分散や偏波モード分散）により劣化するという課題が一般的に知られている。
【０００３】
そこで、分散によって劣化した波形を元の波形に戻すための分散補償が必要となり、特にＰＯＮシステムにおいては、各々のユーザ宅内装置（ＯＮＵ）から通信事業者の局内装置（ＯＬＴ）までの伝送距離が異なるため、通信事業者と各々のユーザ間の信号毎に分散補償が必要となる。
【０００４】
図８に、ＰＯＮシステムにおいて、分散補償ファイバと分散シフトファイバを用いた従来の分散補償方式の構成例を示す（例えば、特許文献１参照）。複数のユーザ宅内装置（ＯＮＵ）１０と１つの局内装置（ＯＬＴ）２０Ａが、光パワースプリッタ３０、１芯の光ファイバ４０、分散シフトファイバ６０、分散補償ファイバ７０を介して接続されている。各々のユーザ宅内装置１０は、光送信器１１、光受信器１２、上り光信号と下り光信号を分波する分波器１３を備える。また、１個の局内装置２０Ａは、光送信器２１、光受信器２２Ａ、および上り光信号と下り光信号を分波する分波器２３を備える。分散シフトファイバ６０はユーザ宅内装置１０と光パワースプリッタ３０の間を接続し、分散補償ファイバ７０は局内装置２０Ａと光パワースプリッタ３０の間の光ファイバ４０の一部に配置されている。
【０００５】
このような構成において、分散補償ファイバ７０の分散量は、光ファイバ４０の分散量の測定値Ｄを補償する値−Ｄに設定されており、局内装置２０Ａと光パワースプリッタ３０の間の波長分散値はゼロとなる。また、光パワースプリッタ３０とユーザ宅内装置１０の間の分散シフトファイバ６０は、信号波長において波長分散値はゼロである。したがって、局内装置２０Ａとユーザ宅内装置１０の問の分散量をゼロとすることができる。
【特許文献１】特開平１０−１５４９６２号公報
【発明の開示】
【発明が解決しようとする課題】
【０００６】
しかし、分散シフトファイバ６０および分散補償ファイバ７０を用いる場合には、光ファイバ自体のコストや敷設コストが必要となり、全体の設備コストが高くなるという課題があった。更に、可変分散補償回路を用いて、局内装置２０Ａと各々のユーザ宅内装置１０の問の信号毎に分散補償を行なう方式も提案されているが、高速に補償分散量を切り替える分散補償回路及び高速応答する分散量判定回路が必要なため、装置コストが上昇するという課題があった。このように、局内装置２０Ａと個々のユーザ宅内装置１０との間の距離が異なる光通信システムにおいては、個別に分散補償を実現することは、コスト高になるという課題があった。
【０００７】
本発明の目的は、以上の点を鑑みて、局内装置等のセンタ装置とユーザ宅内装置等のユーザ装置との間の距離が異なる光通信システムにおいて、補償分散量を共通化することにより経済的な分散補償を可能とすることにある。
【課題を解決するための手段】
【０００８】
上記目的を達成するために、請求項１にかかる発明は、複数のユーザ装置から異なる距離の光ファイバを経由してセンタ装置に到来した各光信号の分散を補償するための補償分散量設定方法において、前記複数のユーザ装置の内の最遠のユーザ装置から到来した光信号の分散量に基づいて前記複数のユーザ装置から到来する各光信号に共通の補償分散量を設定することを特徴とする。
請求項２にかかる発明は、複数のユーザ装置から異なる距離の光ファイバを経由してセンタ装置に到来した各光信号の分散を補償するための補償分散量設定方法において、前記複数のユーザ装置から到来した各光信号の分散量の内の最大の分散量に基づいて前記複数のユーザ装置から到来する各光信号に共通の補償分散量を設定することを特徴とする。
請求項３にかかる発明は、複数のユーザ装置から異なる距離の光ファイバを経由してセンタ装置に到来した各光信号の分散を補償するための補償分散量設定方法において、
前記複数のユーザ装置を、前記複数のユーザ装置の内の前記センタ装置からの距離が近似する２以上のユーザ装置が１つのユーザ群に含まれるように複数のユーザ群に分類し、特定のユーザ群について、該ユーザ群の内の最遠のユーザ装置乃至前記センタ装置までの平均距離に近似するユーザ装置から到来した光信号の分散量に基づいて、前記特定のユーザ群から到来する各光信号に共通の補償分散量を設定することを特徴とする。
請求項４にかかる発明は、複数のユーザ装置から異なる距離の光ファイバを経由してセンタ装置に到来した各光信号の分散を補償するための補償分散量設定プログラムにおいて、前記各ユーザ装置から前記センタ装置までの伝送距離を測定する第１ステップと、該第１ステップで得られた各伝送距離から判明した最遠のユーザ装置から受信した光信号の分散量を測定する第２ステップと、該第２ステップで測定した分散量に対応して前記複数のユーザ装置から到来する各光信号に共通の補償分散量を設定する第３ステップと、を備えることを特徴とする。
請求項５にかかる発明は、複数のユーザ装置から異なる距離の光ファイバを経由してセンタ装置に到来した各光信号の分散を補償するための補償分散量設定プログラムにおいて、前記各ユーザ装置から前記センタ装置に入力する各光信号の分散量を測定する第４ステップと、該第４ステップで測定した各分散量の内の最大の分散量を判定する第５ステップと、該第５ステップで判定した分散量に対応して前記複数のユーザ装置から到来する各光信号に共通の補償分散量を設定する第６ステップと、を備えることを特徴とする。
請求項６にかかる発明は、複数のユーザ装置から異なる距離の光ファイバを経由してセンタ装置に到来した各光信号の分散を補償するための補償分散量設定プログラムにおいて、前記各ユーザ装置から前記センタ装置にまでの伝送距離を測定する第７ステップと、該第７ステップで得られた各伝送距離に基づき近似する伝送距離のユーザ装置が１つのユーザ群となるように複数のユーザ群に分類する第８ステップと、該第８ステップで得られた特定のユーザ群内に前記センタ装置への上り光信号を送信する連続したタイムスロットを割り当てる第９ステップと、前記特定のユーザ群内の最遠のユーザ装置乃至前記センタ装置までの平均距離に近似するユーザ装置から到来した光信号の分散量を測定する第１０ステップと、該第１０ステップで測定した分散量に対応して前記特定のユーザ装置から到来する各光信号に共通の補償分散量を設定する第１１ステップと、前記ユーザ群を切り替えて、前記第８〜第１０ステップを繰り返す第１２ステップと、を備えることを特徴とする。
請求項７にかかる発明は、複数のユーザ装置から異なる距離の光ファイバを経由して到来した各光信号の分散を補償するための分散補償回路を備えたセンタ装置において、前記分散補償回路が、前記複数のユーザ装置の内の最遠のユーザ装置から到来した光信号の分散量に基づいて前記複数のユーザ装置から到来する各信号に共通の補償分散量を設定することを特徴とする。
請求項８にかかる発明は、複数のユーザ装置から異なる距離の光ファイバを経由して到来した各光信号の分散を補償するための分散補償回路を備えたセンタ装置において、前記分散補償回路が、前記複数のユーザ装置から到来した各光信号の分散量の内の最大の分散量に基づいて前記複数のユーザ装置から到来する各信号に共通の補償分散量を設定することを特徴とする。
請求項９にかかる発明は、複数のユーザ装置から異なる距離の光ファイバを経由して到来した各光信号の分散を補償するための分散補償回路を備えたセンタ装置において、前記複数のユーザ装置の内の前記センタ装置からの距離が近似する２以上のユーザ装置が１つのユーザ群に含まれるように分類した複数のユーザ群の内の特定のユーザ群について、前記分散補償回路が、前記特定のユーザ群の内の最遠のユーザ装置乃至前記センタ装置までの平均距離に近似するユーザ装置から到来した光信号の分散量に基づいて、前記特定のユーザ群から到来する各光信号に共通の補償分散量を設定することを特徴とする。
請求項１０にかかる発明は、請求項７、８又は９に記載のセンタ装置と、複数のユーザ装置と、前記センタ装置と前記複数のユーザ装置とを１対多接続する光ファイバとから構成したことを特徴とする。
【発明の効果】
【０００９】
本発明によれば、最遠のユーザ装置から到来した光信号の分散量に基づいて、又は最大の分散量の光信号に対応するユーザ装置からの当該最大の分散量に基づいて、又は特定のユーザ群については、該ユーザ群の内の最遠のユーザ装置乃至センタ装置までの平均距離に最も近似するユーザ装置から到来した光信号の分散量に基づいて、それぞれ、共通の補償分散量を設定するので、センタ装置とユーザ装置間の距離が異なる光通信システムにおいて、個別の分散補償が不要となり、補償分散量の切り替え頻度が低減され、経済的な分散補償を可能となる。
【発明を実施するための最良の形態】
【００１０】
＜実施例１＞
図１に本発明の実施例１の光通信システムの構成を示す。本実施例の光通信システムは、複数のユーザ装置としてのユーザ宅内装置１０と、センタ装置としての局内装置２０と、光パワースプリッタ３０と、局内装置２０と光パワースプリッタ３０を１芯で接続する光ファイバ４０と、光パワースプリッタ３０と各々のユーザ宅内装置１０を１芯で接続する複数本の光ファイバ５０から構成される。ここで、局内装置２０からユーザ宅内装置１０へ伝送される光信号を下り信号、ユーザ宅内装置１０から局内装置２０へ伝送される信号を上り信号とする。
【００１１】
局内装置２０は、下り光信号を送信する光送信器２１と、上り光信号を受信する光受信器２２と、下り光信号と上り光信号を分波する波長フィルタ等からなる分波器２３を備える。そして、光受信器２２は、上り光信号を電気信号に変換する受光器２４と、受光器２４で得られた電気信号の波形を等化する分散補償回路２５と、分散補償回路２５に最適な補償分散量を設定する制御器２６と、受信した上り電気信号から分散量を測定して制御器２６に通知する波形モニタ回路２７と、分散補償後の電気信号からデータを再生する識別再生回路２８と、上り光信号の送信タイミングを制御するＭＡＣ回路２９を備える。
【００１２】
ここで用いられる上り光信号および下り光信号の発生用の光源には、半導体レーザとその半導体レーザの出力光をデータ信号で強度変調する外部変調器とを用いてもよいが、コストを下げるためには、半導体レーザに注入する電流量をデータ信号によって変化させることによって、変調した送信光信号を生成する直接変調型半導体レーザを用いることがある。
【００１３】
波形モニタ回路２７は、例えば、波形の劣化（分散量大）をデューティ比の変動に変換して求める方式では、入力電気信号を一定振幅に増幅した後、異なる閾値で判定し、得られた判定結果を個々に積分し、得られた各々の積分値を閾値の高い順又は低い順にプロットして結んだ結線の傾きの大きさを検出し、その傾きの大きさから分散量を判定する。例えば、分散量が大きいほど、デューティ比が低下し、傾きが大きくなる。
【００１４】
分散補償回路２５は、光ファイバ４０，５０の分散により劣化した波形を、分散を受けていない波形と同等の波形に戻す処理を行う電気回路から構成される。例えば、ＭＬＳＥ（Maximum Likelibood Sequence Estimation）法やトランスバーサルフィルタからなるＦＦＥ（フィードフォワードイコライザ）やＤＦＥ（ディシジョンフィードバックイコライザ）等がよく知られている。ＦＦＥやＤＦＥはそのタップ係数を変化させることにより、補償分散量を変化させることができ、一般的に用いられることが多い。また、ここで補償する分散は、波長分散、偏波モード分散（ＰＭＤ）のいずれかもしくは両方である。このような電気的な分散補償回路２５は、小型であり、光受信器２２内の電気回路を製造する際に一括して実装することができるため、前記した分散補償ファイバや分散シフトファイバを用いる場合に比べ、経済的に分散補償が可能となる。
【００１５】
このような構成において、本実施例の分散補償方式は次のように動作する。ユーザ宅内装置１０から出力された上り光信号は、光ファイバ５０，４０を伝送し、分散により波形劣化を受けた後、局内装置２０の光受信器２２の受光器２４にて上り電気信号に変換され、分散補償回路２５と波形モニタ回路２７に入力される。制御器２６には、波形モニタ回路２７で検出される分散量と制御信号との対応表が格納されている。制御器２６は、分散補償回路２５に対して、局内装置２０からユーザ宅内装置１０までの距離が最も遠い上り光信号に対する補償分散量を共通の補償分散量として設定する。
【００１６】
図２に制御器２６における、補償分散量設定プログラムのフローチャートを示す。ＭＡＣ回路２９が、局内装置２０の光送信器２１から各々のユーザ宅内装置１０へ送信された下り光信号に対する応答時間により、局内装置２０と各々のユーザ宅内装置１０との間の伝送距離を測定し（ステップＳ１）、最遠のユーザ宅内装置１０を判定する。その後、最遠のユーザ宅内装置１０から送信された上り光信号が局内装置２０にて受信されるタイムスロット中に、波形モニタ回路２７において上り電気信号の波形を検出し、当該最遠のユーザ宅内装置１０から送信された光信号が光ファイバ５０，４０を伝送して受けた分散量を測定する（ステップＳ２）。波形モニタ回路２７にて測定された分散量は制御器２６に通知される。制御器２６は前記した対応表に基づき、測定された分散量に対応した制御信号を出力する。この制御信号によって、分散補償回路２５には、最遠の光信号に最適な補償分散量が、共通の補償分散量として、各光信号に対して設定される（ステップＳ３）。この共通補償分散量は、ステップＳ２，Ｓ３が繰り返されることにより更新される。なお、一旦設定した各々のユーザ宅内装置１０からの光信号に共通補償分散量は、更新せず固定にしてもよい。
【００１７】
図３に別の例の補償分散量設定プログラムフローチャートを示す。ここでは、波形モニタ回路２６が測定した分散量から最遠のユーザ宅内装置１０を判定し、補償分散量を設定する。すなわち、波形モニタ回路２７は、各々のユーザ宅内装置１０から送信された上り光信号が受信されるタイムスロット毎に、入力された上り電気信号の波形を検出し、各々のユーザ宅内装置１０から送信された光信号が光ファイバ５０，４０を伝送して受けた各々の分散量を測定する（Ｓ１１）。制御器２６は、波形モニタ回路２７から入力した複数の分散量の中から、最大分散量を判定する（Ｓ１２）。制御器２６は前記した対応表に基づき、判定された最大分散量に対応した制御信号を出力する。この制御信号によって、分散補償回路２５には、各々のユーザ宅内装置１０からの光信号に共通の補償分散量が設定される（Ｓ１３）。この最適補償分散量は、ステップＳ１１，Ｓ１２，Ｓ１３が繰り返されることにより更新される。なお、一旦設定した各々のユーザ宅内装置１０からの光信号に共通の最適補償分散量は、更新せず固定にしてもよい。
【００１８】
以上のような構成にすることで、局内装置２０と各々のユーザ宅内装置１０との間の距離が異なる光通信システムにおいて、分散補償回路２５が各々のユーザ宅内装置１０からの光信号に共通の１個の補償分散量に設定されるので、個別の分散補償が不要となり、補償分散量の切り替え頻度を低減でき、経済的な分散補償を行うことが可能となる。
【００１９】
＜実施例２＞
図４に本発明の実施例２の光通信システムの構成を示す。本実施例では、図１で説明した光通信システムにおいて、局内装置２０への距離が近似する複数のユーザ宅内装置１０の集まりを、それぞれユーザ群Ｐ１，Ｐ２，・・・，Ｐｎとみなし、複数のユーザ群Ｐ１，Ｐ２，・・・，Ｐｎからなる光通信システムを構成する。
【００２０】
図５に本実施例の補償分散量設定プログラムのフローチャートを示す。ＭＡＣ回路２９は、局内装置２０の光送信器２１から各々のユーザ宅内装置１０へ送信された下り光信号に対する応答時間により、局内装置２０と各々のユーザ宅内装置１０との間の伝送距離を測定する（ステップＳ２１）。
【００２１】
得られた各々のユーザ宅内装置１０の宅内装置２０までの伝送距離に基づいて、局内装置２０までの距離が近似する複数のユーザ宅内装置１０の集まりを、それぞれユーザ群Ｐ１，Ｐ２，・・・，Ｐｎとしてみなし、各ユーザ群Ｐ１，Ｐ２，・・・，Ｐｎ毎に、最も局内装置２０への距離が遠いユーザ宅内装置１０を判定する（ステップＳ２２）。
【００２２】
更に、ＭＡＣ回路２９が、各ユーザ群Ｐ１，Ｐ２，・・・，Ｐｎ毎に連続した上り光信号の送信タイムスロットを割り当てる（ステップＳ２３）。ここで、各ユーザ群Ｐ１，Ｐ２，・・・，Ｐｎ内における各ユーザ宅内装置１０の送信タイムスロットの順番は問わない。
【００２３】
波形モニタ回路２７が、特定のユーザ群の内における最も遠いユーザ宅内装置１０から送信された上り光信号が局内装置２０にて受信されるタイムスロット中に、上り電気信号から、当該ユーザ宅内装置１０から送信された光信号が光ファイバ５０，４０を伝送して受けた最大分散量を判定する（ステップＳ２４）。
【００２４】
制御器２６は前記した対応表に基づき、判定された最大分散量に対応した制御信号を出力する。この制御信号によって、分散補償回路２５には、当該特定のユーザ群からの各光信号に共通の補償分散量が設定される（ステップＳ２５）。ユーザ群が新たなユーザ群に切り替わり（ステップＳ２６）、以後は新たなユーザ群についてステップＳ２３〜Ｓ２５が繰り返される。更に、各ユーザ群毎の共通の補償分散量も更新される。なお、一旦設定した各々のユーザ群毎の共通の補償分散量は、更新せず固定にしてもよい。
【００２５】
以上のような構成にすることで、局内装置２０と各々のユーザ宅内装置１０との間の距離が異なる光通信システムにおいて、各々のユーザ群毎に共通の１個の補償分散量に設定されるので、個別の分散補償が不要となり、補償分散量の切り替え頻度を低減でき、経済的な分散補償を行うことが可能となる。
【００２６】
＜実施例３＞
図６に本発明の実施例３の光通信システムの構成を示す。本実施例は、実施例２の光通信システムにおいて、分散補償回路２５で分散補償された後の上り電気信号を波形モニタ回路２７に入力して行うフィードバック制御の構成に変更したものである。このフィードバック制御では、分散補償回路２５で設定された分散補償量で補償された電気信号について、波形モニタ回路２７で分散量が検出され、その分散量が最も小さい（アイ開口が最も大きい）ときの値に、その分散補償量が収束されるよう、制御器２６Ａが補償分散量設定の制御動作を行う。このような構成にすることで、高精度な補償分散量の設定が可能となる。
【００２７】
＜実施例４＞
図７に本発明の実施例４の光通信システムの構成を示す。本実施例は、実施例３の光通信システムにおいて、分散補償回路２４を光領域で分散補償を実現する分散補償回路２４Ａとし、分波器２３の直後に配置した構成となっている。補償分散量の設定方法は実施例３と同様であり、分散補償回路２５Ａで分散補償された光信号が受光器２４で電気信号に変換される。このような構成にすることで、電気領域での分散補償よりも高精度な分散補償を可能とする。
【００２８】
＜その他の実施例＞
なお、以上の各実施例では、複数のユーザ宅内装置１０の内の最遠のユーザ宅内装置１０から送信された光信号、あるいは特定のユーザ群の内の最遠のユーザ宅内装置１０から送信された光信号が光ファイバ５０，４０を伝送して受けた分散量に基づき、共通補償分散量を設定した。
【００２９】
ところが、この手法では、最近のユーザ宅内装置からの信号に対しては、分散補償が過剰になるように思える。例えば、１０ｋｍと２０ｋｍの距離にそれぞれユーザ宅内装置が設置されていたとすると、２０ｋｍにあるユーザ宅内装置は０ｋｍ分の分散量（分散無し）、１０ｋｍにあるユーザ宅内装置は−１０ｋｍ分の分散量（過剰）となる。しかし、分散補償が多少過剰になることに、大きな問題は生じない。
【００３０】
また、最遠のユーザ宅内装置１０から伝送される分散量に応じて分散補償する他に、複数のユーザ宅内装置１０の平均の距離による分散量に応じて分散補償することも可能である。例えば、上記の例では、１５ｋｍ分の分散量を補償することになり、２０ｋｍにあるユーザ宅内装置は５ｋｍ分だけ補償分散量が不足し、１０ｋｍにあるユーザ宅内装置は５ｋｍ分だけ補償分散量が過剰となる。波形の劣化度合いとしては、補償分散量が過剰な場合よりも不足な場合の方が大きくなるが、最遠と最近の距離に大きな差がない場合（前記した実施例３のユーザ群毎に最適分散補償量を設定する場合）では、最遠〜平均の距離に近似するユーザ宅内装置からの光信号の分散量に応じて分散補償してもよい。
【図面の簡単な説明】
【００３１】
【図１】本発明の実施例１の光通信システムの構成を示すブロック図である。
【図２】図１の光通信システムにおける補償分散量設定のフローチャートである。
【図３】図１の光通信システムにおける別の例の補償分散量設定のフローチャートである。
【図４】本発明の実施例２の光通信システムの構成を示すブロック図である。
【図５】図４の光通信システムにおける補償分散量設定のフローチャートである。
【図６】本発明の実施例３の光通信システムの構成を示すブロック図である。
【図７】本発明の実施例４の光通信システムの構成を示すブロック図である。
【図８】従来の光通信システムの構成を示すブロック図である。
【符号の説明】
【００３２】
１０：ユーザ宅内装置、１１：光送信器、１２：光受信器、１３：分波器
２０：局内装置、２１：光送信器、２２：光受信器、２３：分波器、２４：受光器、２５，２５Ａ：分散補償回路、２６，２６Ａ：制御器、２７：波形モニタ回路、２８：識別再生回路、２９：ＭＡＣ回路
【図１】
2009141620.tif 000003
【図２】
2009141620.tif 000004
【図３】
2009141620.tif 000005
【図４】
2009141620.tif 000006
【図５】
2009141620.tif 000007
【図６】
2009141620.tif 000008
【図７】
2009141620.tif 000009
【図８】
2009141620.tif 000010